(57)【要約】      （修正有）【解決手段】本発明は、上部スキッドＰ１と下部スキッドＰ２とを、溶着面で溶着することにより形成されている溶着パレットＰにＩＣタグホルダーＨが取り付けられているＩＣタグホルダー付き溶着パレットにおいて、ＩＣタグホルダーＨの下部水平部ｈ２に、弾性変形可能な弾性調整部材Ｈ１を形成したものである。【効果】一対のスキッドに形成された固定ブロックの間隔が、一定せず、ＩＣタグホルダーの高さより、大きかったり、小さくなる場合があっても、その誤差を、弾性調整部材により、吸収することができるので、ＩＣタグホルダーの高さより小さい場合には、ＩＣタグホルダーのガタツキや振動を防止することができるとともに、ＩＣタグホルダーの高さより大きい場合には、ＩＣタグホルダーの損傷を防止することができる。【選択図】図５
2014034401.tif 000002
【特許請求の範囲】
【請求項１】
上部スキッドと下部スキッドとを、溶着面で溶着することにより形成されている溶着パレットにＩＣタグホルダーが取り付けられているＩＣタグホルダー付き溶着パレットにおいて、ＩＣタグホルダーの下部水平部に、弾性変形可能な弾性調整部材が形成されていることを特徴とするＩＣタグホルダー付きパレット。
【請求項２】
上部スキッドと下部スキッドとを、溶着面で溶着することにより形成されている溶着パレットにＩＣタグホルダーが取り付けられているＩＣタグホルダー付き溶着パレットにおいて、弾性調整部材が、一方の側壁の略中央部を架橋する架橋リブの上面、或いは、もう一方の側壁の略中央部を架橋する架橋リブの上面に形成されていることを特徴とするＩＣタグホルダー付きパレット。
【請求項３】
溶着パレットに、ＩＣタグホルダーの移動を抑制するＩＣタグホルダー保持壁が設けられていることを特徴とする請求項１又は請求項２に記載のＩＣタグホルダー付きパレット。
【発明の詳細な説明】
【技術分野】
【０００１】
本発明は、物品の運搬、移送、保管等に使用されるＩＣタグホルダー付き溶着パレットに関するものであり、ＩＣタグホルダーには、ＩＣタグが収容されており、ＩＣタグは、溶着パレットのサイズや材質や所有者等のパレット自体に関する情報及び溶着パレットに載置される物品の種類や個数や行き先等の物品自体に関する情報等の種々の情報が蓄積されるＩＣチップや電池やアンテナ等が収容されている。
【背景技術】
【０００２】
従来、ＩＣタグが収容されたＩＣタグホルダーを、溶着パレットに形成されたＩＣタグホルダー収容部に収容することが行われている。このようなＩＣタグホルダー付き溶着パレットは、一例として、特許文献１に開示されている。
【０００３】
【特許文献１】特開２００９−７８８２７号公報
【発明の開示】
【発明が解決しようとする課題】
【０００４】
上述した従来のＩＣタグホルダー付き溶着パレットにおいては、ＩＣタグホルダーの上下端が、溶着パレットのＩＣタグホルダー収容部に形成された固定ブロック間に挟持されるように構成されている。しかしながら、一対のスキッドを溶着することにより形成される溶着パレットにおいては、一対のスキッドを溶着した際に、一対のスキッドに形成された固定ブロックの間隔が、一定せず、ＩＣタグホルダーの高さより、大きかったり、小さくなる場合がある。
【０００５】
一対のスキッドに形成された固定ブロックの間隔が、ＩＣタグホルダーの高さより大きい場合には、ＩＣタグホルダーが、一対の固定ブロック間で移動し、ＩＣタグホルダーが、溶着パレットから外れたり、損傷するという問題があった。また、一対のスキッドに形成された固定ブロックの間隔が、ＩＣタグホルダーの高さより小さい場合には、ＩＣタグホルダーが変形し、ＩＣタグホルダーが、損傷するという問題があった。
【０００６】
本発明の目的は、上述した従来のＩＣタグホルダー付き溶着パレットが有する課題を解決することにある。
【課題を解決するための手段】
【０００７】
本発明は、上述した目的を達成するために、第１には、上部スキッドと下部スキッドとを、溶着面で溶着することにより形成されている溶着パレットにＩＣタグホルダーが取り付けられているＩＣタグホルダー付き溶着パレットにおいて、ＩＣタグホルダーの下部水平部に、弾性変形可能な弾性調整部材を形成したものであり、第２には、上部スキッドと下部スキッドとを、溶着面で溶着することにより形成されている溶着パレットにＩＣタグホルダーが取り付けられているＩＣタグホルダー付き溶着パレットにおいて、弾性調整部材を、一方の側壁の略中央部を架橋する架橋リブの上面、或いは、もう一方の側壁の略中央部を架橋する架橋リブの上面に形成したものであり、第３には、溶着パレットに、ＩＣタグホルダーの移動を抑制するＩＣタグホルダー保持壁を設けたものである。
【発明の効果】
【０００８】
上部スキッドと下部スキッドとを、溶着面で溶着することにより形成されている溶着パレットにＩＣタグホルダーが取り付けられているＩＣタグホルダー付き溶着パレットにおいて、ＩＣタグホルダーの下部水平部に、弾性変形可能な弾性調整部材を形成したので、特許文献１に記載の一対のスキッドに形成された固定ブロックの間隔が、一定せず、ＩＣタグホルダーの高さより、大きかったり、小さくなる場合があっても、その誤差を、弾性調整部材により、吸収することができるので、ＩＣタグホルダーの高さより小さい場合には、ＩＣタグホルダーのガタツキや振動を防止することができるとともに、ＩＣタグホルダーの高さより大きい場合には、ＩＣタグホルダーの損傷を防止することができる。
【０００９】
また、上部スキッドと下部スキッドとを、溶着面で溶着することにより形成されている溶着パレットにＩＣタグホルダーが取り付けられているＩＣタグホルダー付き溶着パレットにおいて、弾性調整部材を、一方の側壁の略中央部を架橋する架橋リブの上面、或いは、もう一方の側壁の略中央部を架橋する架橋リブの上面に形成したので、特許文献１に記載の一対のスキッドに形成された固定ブロックの間隔が、一定せず、ＩＣタグホルダーの高さより、大きかったり、小さくなる場合があっても、その誤差を、弾性調整部材により、吸収することができるので、ＩＣタグホルダーの高さより小さい場合には、ＩＣタグホルダーのガタツキや振動を防止することができるとともに、ＩＣタグホルダーの高さより大きい場合には、ＩＣタグホルダーの損傷を防止することができる。
【００１０】
更に、溶着パレットに、ＩＣタグホルダーの移動を抑制するＩＣタグホルダー保持壁を設けたので、ＩＣタグホルダーの移動を防止し、安定して、ＩＣタグホルダーを、溶着パレットに取着することができ、ＩＣタグホルダーに取り付けられたＩＣタグに蓄積された情報を、正確に、読み取りできるとともに、情報を、確実に、書き込むことができる。
【図面の簡単な説明】
【００１１】
【図１】図１は、溶着パレットの一部断面とＩＣタグホルダーを含む本発明のＩＣタグホルダー付き溶着パレットの部分拡大斜視図である。
【図２】図２は、本発明のＩＣタグホルダー付き溶着パレットの一部断面を含む部分拡大斜視図である。
【図３】図３は、本発明のＩＣタグホルダー付き溶着パレットに収容されるＩＣタグホルダーの斜視図である。
【図４】図４は、ＩＣタグが取り付けられた状態の本発明のＩＣタグホルダー付き溶着パレットに収容されるＩＣタグホルダーの斜視図である。
【図５】図５は、本発明のＩＣタグホルダー付き溶着パレットの一部断面を含む部分拡大斜視図である。
【図６】図６は、同じく、本発明のＩＣタグホルダー付き溶着パレットの一部断面を含む部分拡大斜視図である。
【図７】図７は、同じく、本発明のＩＣタグホルダー付き溶着パレットの一部断面を含む部分拡大斜視図である。
【図８】図８は、同じく、本発明のＩＣタグホルダー付き溶着パレットの一部断面を含む部分拡大斜視図である。
【図９】図９は、本発明のＩＣタグホルダー付き溶着パレットの別の実施例の一部断面を含む部分拡大斜視図である。
【図１０】図１０は、本発明のＩＣタグホルダー付き溶着パレットの更に別の実施例の一部断面を含む部分拡大斜視図である。
【実施例】
【００１２】
以下に、本発明の実施例について説明するが、本発明の趣旨を越えない限り、何ら、本実施例に限定されるものではない。
【００１３】
先ず最初に、図１及び図２を用いて、ＩＣタグホルダー付き溶着パレット（以下、単に、溶着パレットと称する。）Ｐについて説明する。
【００１４】
溶着パレットＰは、公知のように、上部スキッドＰ１と下部スキッドＰ２とを、溶着面ｐ１で溶着することにより形成されている。一例として、溶着パレットＰの上部デッキｐ２には、後述するＩＣタグホルダーＨが、挿入可能なＩＣタグホルダ挿入開口ｐ３が形成されている。このようなＩＣタグホルダ挿入開口ｐ３は、溶着パレットＰの桁内に位置する上部デッキｐ２に形成されている。本実施例においては、ＩＣタグホルダ挿入開口ｐ３が、溶着パレットＰの中央桁に形成されている例が示されている。
【００１５】
上部スキッドＰ１と下部スキッドＰ２とが、溶着面ｐ１で溶着された際には、ＩＣタグホルダ挿入開口ｐ３を囲むように、相対する一方の側壁ｐ４と相対するもう一方の側壁ｐ５が形成されている。相対する一方の側壁ｐ４と相対するもう一方の側壁ｐ５とにより、ＩＣタグホルダーＨが収容されるＩＣタグホルダー収容空間Ａが形成されている。
【００１６】
溶着パレットＰの上部デッキｐ２に形成されたＩＣタグホルダ挿入開口ｐ３の周縁には、下方に略垂直に延在する係止垂直部ｐ３ａが垂下されている。本実施例においては、ＩＣタグホルダ挿入開口ｐ３の平面形状が、長方形に形成されており、係止垂直部ｐ３ａは、ＩＣタグホルダ挿入開口ｐ３の長辺側に位置する相対する係止垂直部ｐ３ａ（以下、長辺側係止垂直部という。）ｐ３ａ’と、ＩＣタグホルダ挿入開口ｐ３の短辺側に位置する相対する係止垂直部ｐ３ａ（以下、短辺側係止垂直部という。）ｐ３ａ”とから形成されている。
【００１７】
ＩＣタグホルダー収容空間Ａを形成する相対する一方の側壁ｐ４と上部デッキｐ２との隅部には、ＩＣタグホルダ挿入開口ｐ３に挿入されたＩＣタグホルダーＨの長辺側係止垂直部ｐ３ａ’方向への移動を抑制するように、長辺側係止垂直部ｐ３ａ’に略垂直に対抗するように、一対のＩＣタグホルダー保持壁ｐ６が形成されている。
【００１８】
また、ＩＣタグホルダー収容空間Ａを形成する下部スキッドＰ２の下部デッキｐ７には、相対する一方の側壁ｐ４の略中央部を架橋する架橋リブｐ８が形成されており、更に、ＩＣタグホルダー収容空間Ａを形成する下部スキッドＰ２の下部デッキｐ７には、相対するもう一方の側壁ｐ５の略中央部を架橋する架橋リブｐ９が形成されており、架橋リブｐ８と架橋リブｐ９とは、下部スキッドＰ２のの略中央部で交差するように形成されている。架橋リブｐ８と架橋リブｐ９との中央部に位置する上端面は、面一に形成されている。
【００１９】
次に、図３及び図４を用いて、ＩＣタグホルダーＨとＩＣタグＴについて説明する。ＩＣタグホルダーＨとＩＣタグＴは、本出願人の先の出願である特許文献１に記載のＩＣタグホルダーＨとＩＣタグＴと略同じであるので、以下においては、主として、特許文献１に記載のＩＣタグホルダーＨと本願発明のＩＣタグホルダーＨとの相違点を中心に説明する。
【００２０】
ＩＣタグホルダーＨは、ＩＣタグホルダーＨの上部に形成された上部水平部ｈ１と、ＩＣタグホルダーＨの下部に形成された下部水平部ｈ２と、ＩＣタグホルダーＨの相対する垂直辺に形成された垂直側壁部ｈ３とを有しており、全体として、縦長に形成されている。また、上部水平部ｈ１と下部水平部ｈ２と相対する垂直側壁部ｈ３とにより形成される空間部には、内部板状部ｈ４が形成されており、内部板状部ｈ４の表面ｈ４ａは、面一で、且つ、上部水平部ｈ１、下部水平部ｈ２及び相対する垂直側壁部ｈ３の端面より内側に位置するように構成されている。更に、上部水平部ｈ１、下部水平部ｈ２及び相対する垂直側壁部ｈ３の端面も、面一に形成されているとともに、相対する垂直側壁部ｈ３には、内部板状部ｈ４の表面ｈ４ａと所定の間隔を置いて、互いに接近する方向に内側に延在するＩＣタグ保持板ｈ５が形成されている。
【００２１】
ｈ６は、内部板状部ｈ４の下部に形成された弾性舌片であり、弾性舌片ｈ６の自由端部付近には、水平状突条ｈ６ａが突設されている。また、ｈ７は、相対する垂直側壁部ｈ３の上端部に、それぞれ形成された係止突部であり、係止突部ｈ７には、係止突部ｈ７から垂直側壁部ｈ３に向かう傾斜面ｈ７ａが形成されているとともに、その上面は、水平上面ｈ７ｂとして形成されている。
【００２２】
ＩＣタグホルダーＨを構成する下部水平部ｈ２の裏面には、下方に延在する弾性変形可能な板材からなる弾性調整部材Ｈ１が形成されている。図３及び図４においては、弾性調整部材Ｈ１が、円弧状に形成された円弧状弾性片ｈ１’の例が示されている。
【００２３】
ＩＣタグＴを、ＩＣタグホルダーＨに取り付けるには、水平状突条ｈ６ａが突設されている側から弾性舌片ｈ６を後方に押して、弾性舌片ｈ６を湾曲変形させ、次いで、ＩＣタグＴの上端ｔ１が、ＩＣタグホルダーＨの下方に位置するように配置し、その後、ＩＣタグＴを上動させることにより、ＩＣタグＴの上端ｔ１から、順次、ＩＣタグＴの両側部ｔ２を、内部板状部ｈ４とＩＣタグ保持板ｈ５との間に形成されている間隙に挿入し、ＩＣタグＴの下端ｔ３が、弾性舌片ｈ６に形成されている水平状突条ｈ６ａを越えて上方に位置した時点で、湾曲変形している弾性舌片ｈ６から手を離して、弾性舌片ｈ６を、その弾性復元力により、ＩＣタグＴの下端ｔ３を、弾性舌片ｈ６の水平状突条ｈ６ａにより支持し、ＩＣタグＴが下方に移動しないように構成されている。
【００２４】
上述したように、ＩＣタグＴを、ＩＣタグホルダーＨに取り付ける際には、水平状突条ｈ６ａが突設されている側から弾性舌片ｈ６を押して、弾性舌片ｈ６を湾曲変形させた後、ＩＣタグホルダーＨの下方から、ＩＣタグＴの両側部ｔ２を、内部板状部ｈ４とＩＣタグ保持板ｈ５との間に形成されている間隙に挿入するように構成したので、ＩＣタグＴを変形させることなく、平坦なままで、ＩＣタグホルダーＨに取り付けることができるので、ＩＣタグＴが損傷するようなことを防止することができる。
【００２５】
次に、図５〜図８を用いて、溶着パレットＰの上部デッキｐ２に形成されたＩＣタグホルダ挿入開口ｐ３へのＩＣタグＴが取り付けられたＩＣタグホルダーＨの挿着について説明する。
【００２６】
先ず最初に、ＩＣタグホルダーＨを、弾性調整部材Ｈ１側から、ＩＣタグホルダ挿入開口ｐ３へ挿入し、その後、ＩＣタグホルダーＨを下降させると、ＩＣタグホルダーＨの弾性調整部材Ｈ１が、架橋リブｐ８と架橋リブｐ９との交差部の上端面に当接するとともに、ＩＣタグホルダーＨの相対する垂直側壁部ｈ３の上端部に形成された係止突部ｈ７の水平上面ｈ７ｂが、係止垂直部ｐ３ａの下端に当接し、ＩＣタグホルダーＨが、溶着パレットＰに取着されることになる。
【００２７】
また、ＩＣタグホルダーＨが、溶着パレットＰに取着された際には、ＩＣタグホルダーＨの垂直側壁部ｈ３が、溶着パレットＰに形成された一対のＩＣタグホルダー保持壁ｐ６に挟持されるように構成されており、従って、ＩＣタグホルダーＨの移動を防止し、安定して、ＩＣタグホルダーＨを、溶着パレットＰに取着することができ、ＩＣタグホルダーＨに取り付けられたＩＣタグＴに蓄積された情報を、正確に、読み取りできるとともに、情報を、確実に、書き込むことができる。
【００２８】
上述したように、ＩＣタグホルダーＨが、溶着パレットＰに取着されることになるが、一対のスキッドを溶着することにより形成される溶着パレットにおいては、一対のスキッドを溶着した際に、一対のスキッドに形成された固定ブロックの間隔が、一定せず、ＩＣタグホルダーの高さより、大きかったり、小さくなる場合がある。しかしながら、本発明においては、ＩＣタグホルダーＨを構成する下部水平部ｈ２の裏面には、下方に延在する弾性変形可能な板材からなる弾性調整部材Ｈ１が形成されているので、ＩＣタグホルダーＨが、弾性調整部材Ｈ１を介して、相対する垂直側壁部ｈ３の上端部に形成された係止突部ｈ７と、溶着パレットＰに形成された架橋リブｐ８と架橋リブｐ９との交差部の上端面に当接するように構成されているので、一対のスキッドに形成された固定ブロックの間隔が、一定せず、ＩＣタグホルダーＨの高さより、大きかったり、小さくなる場合があっても、その誤差を、弾性調整部材Ｈ１により、吸収することができるので、ＩＣタグホルダーＨの高さより小さい場合には、ＩＣタグホルダーのガタツキや振動を防止することができるとともに、ＩＣタグホルダーＨの高さより大きい場合には、ＩＣタグホルダーの損傷を防止することができる。
【００２９】
上述した実施例における、ＩＣタグホルダーＨを構成する下部水平部ｈ２の裏面に形成された弾性調整部材Ｈ１の円弧状弾性片ｈ１’に代えて、図９に示されているように、下部水平部ｈ２の裏面に、一対の板状弾性片ｈ２’からなる弾性調整部材Ｈ２を適用することもできる。
【００３０】
また、ＩＣタグホルダーＨを構成する下部水平部ｈ２の裏面に形成された弾性調整部材Ｈ１の円弧状弾性片ｈ１’に代えて、図１０示されているように、下部水平部ｈ２の裏面に、下部水平部ｈ２の長手方向に垂直な一片の板状弾性片ｈ３’からなる弾性調整部材Ｈ３を適用することもできる。
【００３１】
上述した実施例においては、図５〜図８等に示されているように、ＩＣタグホルダーＨを構成する下部水平部ｈ２の裏面に形成された弾性調整部材Ｈ１〜Ｈ３が、ＩＣタグホルダー収容空間Ａを形成する下部デッキｐ７の相対する一方の側壁ｐ４の略中央部を架橋する架橋リブｐ８と相対するもう一方の側壁ｐ５の略中央部を架橋する架橋リブｐ９との交差部の上端面に当接するように構成されている。
【００３２】
上述した実施例においては、弾性調整部材Ｈ１〜Ｈ３が、ＩＣタグホルダーＨを構成する下部水平部ｈ２の裏面に形成されている例が示されているが、ＩＣタグホルダーＨを構成する下部水平部ｈ２の裏面に形成されている弾性調整部材Ｈ１〜Ｈ３に代えて、弾性調整部材Ｈ１〜Ｈ３を、一方の側壁ｐ４の略中央部を架橋する架橋リブｐ８の上面、或いは、もう一方の側壁ｐ５の略中央部を架橋する架橋リブｐ９の上面に形成することができる。
【符号の説明】
【００３３】
Ｈ・・・・・・・・・・・・・・・・ＩＣタグホルダー
Ｈ１〜Ｈ３・・・・・・・・・・・・弾性調整部材
Ｐ・・・・・・・・・・・・・・・・溶着パレット
ｐ３・・・・・・・・・・・・・・・ＩＣタグホルダー挿着開口
ｐ６・・・・・・・・・・・・・・・ＩＣタグホルダー保持壁
Ｔ・・・・・・・・・・・・・・・・ＩＣタグ
【図１】
2014034401.tif 000003
【図２】
2014034401.tif 000004
【図３】
2014034401.tif 000005
【図４】
2014034401.tif 000006
【図５】
2014034401.tif 000007
【図６】
2014034401.tif 000008
【図７】
2014034401.tif 000009
【図８】
2014034401.tif 000010
【図９】
2014034401.tif 000011
【図１０】
2014034401.tif 000012